(57)【要約】【課題】霧による反射光で運転が妨げられることを防止できる車両用照明制御装置を提供すること。【解決手段】車両１０の前端部１０ａに設けられ、ハイビーム照明とロービーム照明を切替可能なヘッドライト４と、ヘッドライト４をハイビーム照明又はロービーム照明のいずれか一方に設定する照明制御部６と、ヘッドライト４によって照明される照射領域Ｓの照度を検出する第１照度センサ２と、ヘッドライト４によって照明されない非照射領域Ｈの照度を検出する第２照度センサ３と、照射領域Ｓの照度と非照射領域Ｈの照度の差分に基づいて、車両１０の周囲に霧が発生しているか否かを判断する霧検知制御部５と、を備え、前記照明制御手段６は、車両１０の周囲に霧が発生していると判断されたとき、照明手段４をロービーム照明に設定するオートビーム照明部６２ａを有する構成とした。【選択図】図１
2015039902.tif 000002
【特許請求の範囲】
【請求項１】
車両の前部に設けられ、ハイビーム照明とロービーム照明を切り替え可能な照明手段と、
前記照明手段を、前記ハイビーム照明又は前記ロービーム照明のいずれか一方に設定する照明制御手段と、
前記照明手段によって照明される照射領域の照度を検出する第１照度検出手段と、
前記照明手段によって照明されない非照射領域の照度を検出する第２照度検出手段と、
前記第１照度検出手段により検出された前記照射領域の照度と、前記第２照度検出手段により検出された前記非照射領域の照度と、の差分に基づいて、前記車両の周囲に霧が発生しているか否かを判断する霧検知手段と、を備え、
前記照明制御手段は、前記霧検知手段によって前記車両の周囲に霧が発生していると判断されたとき、前記照明手段を前記ロービーム照明に設定するオートビーム制御部を有する
ことを特徴とする車両用照明制御装置。
【請求項２】
請求項１に記載された車両用照明制御装置において、
前記照射領域の照度は、前記照明手段による照明方向に沿って前記車両に入射する光の照度とし、
前記非照射領域の照度は、前記照明手段による照明方向とは異なる方向に沿って前記車両に入射する光の照度とする
ことを特徴とする車両用照明制御装置。
【請求項３】
請求項１又は請求項２に記載された車両用照明制御装置において、
前記照明制御手段は、所定の周期で、所定時間、前記照明手段の点灯と消灯を繰り返す霧判断照明を実行する点消灯制御部を有し、
前記霧検知手段は、前記霧判断照明が実行されているときに検出された照度の差分に基づいて、前記車両の周囲に霧が発生しているか否かを判断する
ことを特徴とする車両用照明制御装置。
【請求項４】
請求項３に記載された車両用照明制御装置において、
前記点消灯制御部は、前記車両が走行している間、予め定めた一定周期で前記霧判断照明を実行する
ことを特徴とする車両用照明制御装置。
【請求項５】
請求項１から請求項４のいずれか一項に記載された車両用照明制御装置において、
前記配光制御部は、予め設定したハイビーム条件が成立した際に、前記照明手段を前記ハイビーム照明に設定するオートハイビーム制御部を有し、
前記オートビーム制御部は、前記霧検知手段によって前記車両の周囲に霧が発生していると判断されたとき、オートハイビーム制御部による前記ハイビーム照明の設定を停止すると共に、前記照明手段を前記ロービーム照明に設定する
ことを特徴とする車両用照明制御装置。
【発明の詳細な説明】
【技術分野】
【０００１】
本発明は、車両に搭載された照明手段の配光状態を制御する車両用照明制御装置に関する発明である。
【背景技術】
【０００２】
従来、車両に搭載されたヘッドライトのハイビーム照明とロービーム照明を、車両前方の他車両の存在に合わせて自動的に切り替える車両用照明制御装置が知られている（例えば、特許文献１参照）。
【先行技術文献】
【特許文献】
【０００３】
【特許文献１】特開2011-255826号公報
【発明の概要】
【発明が解決しようとする課題】
【０００４】
ところで、従来の車両用照明制御装置では、車両の前方に他車両が認識されなければ、ハイビーム照明に設定される。しかしながら、このような状況下で霧が発生した場合、ヘッドライトからの光が霧に反射してしまい、運転者は霧による反射光の眩しさにより運転を妨げられるおそれがあった。
【０００５】
本発明は、上記問題に着目してなされたもので、霧による反射光で運転が妨げられることを防止できる車両用照明制御装置を提供することを目的とする。
【課題を解決するための手段】
【０００６】
上記目的を達成するため、本発明の車両用照明制御装置は、照明手段と、照明制御手段と、第１照度検出手段と、第２照度検出手段と、霧検知手段と、を備えている。
前記照明手段は、車両の前部に設けられ、ハイビーム照明とロービーム照明を切り替え可能である。
前記照明制御手段は、前記照明手段を前記ハイビーム照明又は前記ロービーム照明のいずれか一方に設定する。
前記第１照度検出手段は、前記照明手段によって照明される照射領域の照度を検出する。
前記第２照度検出手段は、前記照明手段によって照明されない非照射領域の照度を検出する。
前記霧検知手段は、前記第１照度検出手段により検出された前記照射領域の照度と、前記第２照度検出手段により検出された前記非照射領域の照度と、の差分に基づいて、前記車両の周囲に霧が発生しているか否かを判断する。
そして、前記照明制御手段は、前記霧検知手段によって前記車両の周囲に霧が発生していると判断されたとき、前記照明手段を前記ロービーム照明に設定するオートビーム制御部を有する。
【発明の効果】
【０００７】
本発明の車両用照明制御装置では、霧検知手段によって車両の周囲に霧が発生していると判断されたときには、照明制御手段のオートビーム制御部により、照明手段がロービーム照明に設定される。
すなわち、車両周囲に霧が発生していれば、照明手段は自動的にロービーム照明に設定され、この照明手段からの光が霧に反射して発生する反射光を抑制することができる。これにより、霧による反射光で運転が妨げられることを防止できる。
【図面の簡単な説明】
【０００８】
【図１】実施例１の車両用照明制御装置を示す全体システム図である。
【図２】実施例１の車両用照明制御装置を搭載した車両を示す模式図である。
【図３】実施例１の車両用照明制御装置において実行される照明制御処理の流れを示すフローチャートである。
【図４】実施例１の照明制御装置において夜間霧発生時の、ヘッドライト入力指令、照射領域の照度、非照射領域の照度、照度の差分の各特性を示すタイムチャートである。
【図５】実施例１の照明制御装置において夜間霧無発生時の、ヘッドライト入力指令、照射領域の照度、非照射領域の照度、照度の差分の各特性を示すタイムチャートである。
【図６】実施例１の照明制御装置において昼間霧発生時の、ヘッドライト入力指令、照射領域の照度、非照射領域の照度、照度の差分の各特性を示すタイムチャートである。
【図７】実施例２の車両用照明制御装置を示す全体システム図である。
【図８】実施例２の車両用照明制御装置において実行される照明制御処理の流れを示すフローチャートである。
【発明を実施するための形態】
【０００９】
以下、本発明の車両用照明制御装置を実施するための形態を、図面に示す実施例１及び実施例２に基づいて説明する。
【００１０】
（実施例１）
まず、実施例１の車両用照明制御装置における構成を「全体システム構成」、「照明制御処理構成」に分けて説明する。
【００１１】
［全体システム構成］
図１は、実施例１の車両用照明制御装置を示す全体システム図である。図２は、実施例１の車両用照明制御装置を搭載した車両を示す模式図である。以下、図１,２に基づき、実施例１の車両用照明制御装置の全体システム構成を説明する。
【００１２】
実施例１における車両用照明制御装置１は、図１に示すように、第１照度センサ２と、第２照度センサ３と、ヘッドライト４と、霧検知制御部５と、照明制御部６と、を備えている。
【００１３】
前記第１照度センサ２は、ヘッドライト４によって照明される照射領域Ｓの照度（明るさ）を検出するセンサであり、第１照度検出手段に相当する。この第１照度センサ２は、図２に示すように、車両１０のフロントガラス１１の上部に設定され、図示しない受光部が車両前方に向けられている。これにより、第１照度センサ２では、車両前方から入射する光、つまりヘッドライト４の照明方向に沿って車両１０に入射する光を受光し、この光の照度を検出可能となっている。なお、第１照度センサ２による照度検出範囲は、図２において斜線で示す領域であり、第１照度センサ２は、車両前方領域の照度を検出することとなる。
ここで、車両前方に霧が発生しているときには、霧によってヘッドライト４の照明光が反射される。また、ヘッドライト４は後述するように車両前方を照らす前照灯である。そのため、霧発生中にヘッドライト４が点灯しているときには、第１照度センサ２によって反射光が検出される。
【００１４】
前記第２照度センサ３は、ヘッドライト４によって照明されない非照射領域Ｈの照度（明るさ）を検出するセンサであり、第２照度検出手段に相当する。この第２照度センサ３は、図２に示すように、車両１０のフロントフード１２の上面に設定され、図示しない受光部が車両上方に向けられている。これにより、第２照度センサ３では、車両上方から入射する光、つまりヘッドライト４の照明方向とは異なる方向に沿って車両１０に入射する光を受光し、この光の照度を検出可能となっている。なお、第２照度センサ３による照度検出範囲は、図２においてドットで示す領域であり、第２照度センサ３は、車両上方領域の照度を検出することとなる。
ここで、霧発生中にヘッドライト４が点灯することで反射光が発生しているときであっても、車両上方から入射する光を受ける第２照度センサ３では反射光の照度は検出されない。
【００１５】
前記ヘッドライト４は、図２に示すように車両１０の前端部（前部）１０ａに設置され、ハイビーム照明とロービーム照明を切り替え可能な前照灯である。
ここで、「ハイビーム照明」とは、車両正面を比較的遠く（約１００ｍ）まで照らすことができる照明であり、照明方向をほぼ水平に設定する。また、「ロービーム照明」とは、車両正面の比較的近傍（約４０ｍ）を照らすことができる照明であり、照明方向を水平方向よりも下方に向けて設定する。
【００１６】
前記霧検知制御部５は、ヘッドライト４が点灯した際の第１照度センサ２によって検出される照射領域Ｓの照度と、第２照度センサ３によって検出される非照射領域Ｈとの差分から、車両前方に霧が発生しているか否かを判断する霧検知手段に相当する。この霧検知制御部５は、照度比較部５１と、霧判断部５２と、を有している。
【００１７】
前記照度比較部５１は、第１照度センサ２の検出結果と、第２照度センサ３の検出結果が入力される。そして、両照度センサ２,３の検出結果を比較して照度の差分を演算し、演算結果を霧判断部５２に出力する。
【００１８】
前記霧判断部５２は、照度比較部５１から照度の差分演算結果が入力され、照明制御部６の後述する点消灯制御部６１から霧判断照明信号が入力される。そして、照度の差分演算結果と、霧判断照明信号に基づき、車両１０の前方に霧が発生しているか否かを判断する。
すなわち、照度の差分が、霧判断照明時のヘッドライト４の点滅動作に同期して増減する場合には、車両前方に霧が発生していると判断する。一方、照度の差分が増減しなかったり、増減しても霧判断照明時のヘッドライト４の点滅動作に同期しない場合には、車両前方に霧が発生していないと判断する。なお、霧判断照明時のヘッドライト４の点滅動作は、予め霧判断部５２に記憶されている。
この霧判断部５２からの判断結果は、照明制御部６の後述する配光制御部６２に入力される。
【００１９】
前記照明制御部６は、ヘッドライト４の点灯、消灯及び配光制御をそれぞれ行う照明制御手段に相当し、点消灯制御部６１と、配光制御部６２と、を有している。
【００２０】
前記点消灯制御部６１は、ヘッドライト４に対し、点灯指令又は消灯指令のいずれか、あるいは霧判断照明指令を出力することで、ヘッドライト４の点消灯制御を行う。
ここで、「点灯指令」は、消灯状態のヘッドライト４に対して出力し、ヘッドライト４を点灯させる。また、「消灯指令」は、点灯状態のヘッドライト４に対して出力し、ヘッドライト４を消灯する。また、「霧判断照明指令」は、ヘッドライト４の点消灯状態に拘らず所定時間が経過するごとに出力し、ヘッドライト４を人間の目に見えない周期（200Hz以上）で所定時間（１秒間）点滅させる。
また、この点消灯制御部６１は、上記霧判断照明指令を出力したときに、霧検知制御部５の霧判断部５２に対して、霧判断照明を実行したことを示す霧判断照明信号を出力する。
【００２１】
前記配光制御部６２は、ヘッドライト４に対し、ハイビーム設定指令又はロービーム設定指令のいずれかを出力することで、ヘッドライト４の配光制御を行う。また、この配光制御部６２は、霧判断部５２から「霧発生」との判断結果が入力されると、ヘッドライト４にロービーム設定指令を出力し、ヘッドライト４を自動的にロービーム照明に設定するオートビーム制御部６２ａを有している。
ここで、「ハイビーム設定指令」は、ヘッドライト４の配光状態をハイビーム照明に設定する。また、「ロービーム設定指令」は、ヘッドライト４の配光状態をロービーム照明に設定する。
【００２２】
［照明制御処理構成］
図３は、実施例１の車両用照明制御装置において実行される照明制御処理の流れを示すフローチャートである。以下、図３に基づき、照明制御処理の各ステップについて説明する。なお、この照明制御処理は、イグニッションキーがONされてからOFFされるまでの間、継続して実行される。
【００２３】
ステップＳ１では、前回の霧判断の実行から例えば３０分等の一定時間が経過したか否かを判断する。YES（一定時間経過）の場合はステップＳ２へ進む。NO（一定時間未経過）の場合は、ステップＳ１を繰り返す。
ここで、「前回の霧判断が実行されたとき」とは、ヘッドライト４に霧判断照明指令が出力されたときである。つまり、霧判断照明指令が出力されてから所定時間が経過したか否を判断する。
【００２４】
ステップＳ２では、ステップＳ１での一定時間経過との判断に続き、ヘッドライト４に対して配光制御部６２からハイビーム設定指令を出力し、ステップＳ３へ進む。これにより、ヘッドライト４の配光状態がハイビーム照明に設定される。
【００２５】
ステップＳ３では、ステップＳ２でのハイビーム設定指令の出力に続き、ヘッドライト４に対して霧判断照明指令を出力し、ステップＳ４へ進む。これにより、ヘッドライト４は、人間の目に見えない周期（200Hz以上）で、一定時間（１秒間）点滅する。また、このとき、霧検知制御部５の霧判断部５２に対して、霧判断照明を実行したことを示す霧判断照明信号が出される。
【００２６】
ステップＳ４では、ステップＳ３での霧判断照明指令の出力に続き、第１照度センサ２によって、ヘッドライト４が点滅しているときの照射領域Ｓの照度、つまり、このヘッドライト４の照明方向（車両前方）から車両１０に向かって入射する光の照度を検出し、ステップＳ５へ進む。
【００２７】
ステップＳ５では、ステップＳ４での照射領域Ｓの照度の検出に続き、第２照度センサ３によって、ヘッドライト４が点滅しているときの非照射領域Ｈの照度、つまり、このヘッドライト４の照明方向とは異なる方向の車両周囲（車両上方）の照度を検出し、ステップＳ６へ進む。
【００２８】
ステップＳ６では、ステップＳ５での非照射領域Ｈの照度の検出に続き、ヘッドライト４が点滅しているときにおける、ステップＳ４で検出した照射領域Ｓの照度と、ステップＳ５で検出した非照射領域Ｈの照度との差分を演算し、ステップＳ７へ進む。
ここで、「照度の差分演算」は、ヘッドライト４の点滅開始から点滅終了までの間における同時タイミングでの照度の差異を求めることである。
【００２９】
ステップＳ７では、ステップＳ６での照度差分の演算に続き、この差分演算結果に基づいて、車両１０の前方（車両周囲）に霧が発生しているか否かを判断する。YES（霧発生）の場合には、ステップＳ８へ進む。NO（霧未発生）の場合には、ステップＳ９へ進む。
ここで、霧発生の判断は、ステップＳ６で求めた照度差分がヘッドライト４の点滅動作に同期して増減すれば、霧が発生していると判断し、照度差分の変化がヘッドライト４の点滅動作に同期しなければ、霧が発生していないと判断する。
【００３０】
ステップＳ８では、ステップＳ７での霧発生との判断に続き、霧が発生しているときにハイビーム照明を設定していると、ヘッドライト４を点灯したときに霧による反射光で運転しにくさを感じることから、ロービーム設定指令を出力して、ヘッドライト４の配光状態を自動的にロービーム照明に設定し、リターンへ進む。
【００３１】
ステップＳ９では、ステップＳ７での霧未発生との判断に続き、ステップＳ２において出力したハイビーム設定指令の出力以前に、すでにヘッドライト４がハイビーム照明状態であったか否かを判断する。YES（ハイビーム状態）の場合には、霧判断のためにハイビーム照明に設定したヘッドライト４の配光状態を変更する必要がないため、リターンへ進む。NO（ロービーム状態）の場合には、霧判断のためにハイビーム照明に設定したヘッドライト４の配光状態を戻す必要があるためステップＳ８へ進む。
【００３２】
次に、作用を説明する。
実施例１の車両用照明制御装置における作用を、「霧発生時照明切替作用」と、「霧未発生時照明切替作用」に分けて説明する。
【００３３】
［霧発生時照明切替作用］
図４は、実施例１の照明制御装置において夜間霧発生時の、ヘッドライト入力指令、照射領域の照度、非照射領域の照度、照度の差分の各特性を示すタイムチャートである。以下、図４に基づき、実施例１の霧発生時照明切替作用について説明する。
【００３４】
霧が発生しているときの夜間走行中において、図４に示す時刻t１時点で、前回の霧判断から所定時間が経過する。この場合、図３に示すフローチャートにおいてステップＳ１→ステップＳ２→ステップＳ３へと進み、ヘッドライト４がハイビーム照明に設定された上で、人間の目に見えない周期で一定時間点滅する霧判断照明を実行する。
すなわち、時刻t１から時刻t２までの間（ここでは１秒間）、ヘッドライト４に対して、人間の目に見えない200Hz以上の周期で点灯指令と消灯指令とが繰り返し出力される。
なお、図４では便宜上時刻t１から時刻t２までの間、点灯指令と消灯指令がそれぞれ５回ずつ出力された特性となっている。しかしながら、実際の特性は点灯指令と消灯指令が多数回出力される。
【００３５】
そして、ヘッドライト４が霧判断照明を実行したら、ステップＳ４→ステップＳ５へと進み、第１照度センサ２によってこの霧判断照明をしている間（時刻t１から時刻t２までの間）における照射領域Ｓの照度を検出し、第２照度センサ３によってこの霧判断照明をしている間（時刻t１から時刻t２までの間）における非照射領域Ｈの照度を検出する。
【００３６】
ここで、図４に示す状況は、霧が発生しているときの夜間走行中である。そのため、ヘッドライト４を点灯すれば、霧によって照射光が反射され、車両前方から後方に向かう反射光が発生する。
これにより、霧判断照明をしている間（時刻t１から時刻t２までの間）、照射領域Ｓの照度はヘッドライト４の点滅動作に同期して変動する。つまり、ヘッドライト４が点灯すれば反射光の発生によって照射領域Ｓの照度が高くなり、ヘッドライト４が消灯すれば反射光が発生しないため照射領域Ｓの照度は低くなる。一方、ヘッドライト４からの照明光は車両前方に向けられているので、このヘッドライト４が点滅しても車両上方から入射する光に変化はない。つまり、ヘッドライト４によって照明されない非照射領域Ｈの照度は低いままで変化しない。
なお、各照度の検出は霧判断照明をしている間（時刻t１から時刻t２までの間）に行われるため、時刻t１以前及び時刻t２では照度検出は実行されない。
【００３７】
そして、ステップＳ６→ステップＳ７へと進んで、照射領域Ｓの照度と、非照射領域Ｈの照度との差分を演算し、この差分演算結果に基づいて車両前方に霧が発生しているか否かが判断される。
このとき、図４に示すように、照射領域Ｓの照度はヘッドライト４の点滅動作に同期して増減するが、非照射領域Ｈの照度は変化しない。そのため、照度の差分もヘッドライト４の点滅動作に同期して増減する。すなわち、ヘッドライト４が点灯している間は照度差分が大きくなり、ヘッドライト４が消灯している間は照度差分が小さくなる。
このように、照度の差分がヘッドライト４の点滅動作に同期して増減することで、車両１０の前方に霧が発生していると判断することができる。
【００３８】
そして、この実施例１では、霧が発生していると判断したことでステップＳ８へと進み、ヘッドライト４の配光状態をロービーム照明に設定する。つまり、霧が発生しているときにハイビーム照明を設定したままでいると、ヘッドライト４を点灯したときに霧による反射光で運転しにくさを感じる。そのため、ステップＳ２において霧判断をするためにハイビーム照明に設定する以前にヘッドライト４がハイビーム照明状態であっても、自動的にロービーム照明に設定することで、霧による反射光での運転しにくさを感じることを防止できる。
【００３９】
［霧未発生時照明切替作用］
図５は、実施例１の照明制御装置において夜間霧未発生時の、ヘッドライト入力指令、照射領域の照度、非照射領域の照度、照度の差分の各特性を示すタイムチャートである。以下、図５に基づき、実施例１の霧未発生時照明切替作用について説明する。
【００４０】
霧が発生していないときの夜間走行中において、図５に示す時刻t３時点で、前回の霧判断から所定時間が経過する。この場合、図３に示すフローチャートにおいてステップＳ１→ステップＳ２→ステップＳ３へと進み、ヘッドライト４がハイビーム照明に設定された上で、人間の目に見えない周期で一定時間点滅する霧判断照明を実行する。
すなわち、時刻t３から時刻t４までの間（ここでは１秒間）、ヘッドライト４に対して、人間の目に見えない200Hz以上の周期で点灯指令と消灯指令とが繰り返し出力される。
なお、図５では便宜上時刻t３から時刻t４までの間、点灯指令と消灯指令がそれぞれ５回ずつ出力された特性となっている。しかしながら、実際の特性は点灯指令と消灯指令が多数回出力される。
【００４１】
そして、ヘッドライト４が霧判断照明を実行したら、ステップＳ４→ステップＳ５へと進み、第１照度センサ２によってこの霧判断照明をしている間（時刻t３から時刻t４までの間）における照射領域Ｓの照度を検出し、第２照度センサ３によってこの霧判断照明をしている間（時刻t３から時刻t４までの間）における非照射領域Ｈの照度を検出する。
【００４２】
ここで、図５に示す状況は、霧が発生していないときの夜間走行中である。そのため、ヘッドライト４が点灯しても、車両前方から後方に向かう反射光は発生しない。
これにより、霧判断照明をしている間（時刻t３から時刻t４までの間）にヘッドライト４が点滅しても、照射領域Ｓの照度は変化しない。一方、ヘッドライト４からの照明光は車両前方に向けられているので、このヘッドライト４が点滅しても車両上方から入射する光に変化はない。つまり、ヘッドライト４によって照明されない非照射領域Ｈの照度も低いままで変化しない。
【００４３】
そして、ステップＳ６→ステップＳ７へと進んで、照射領域Ｓの照度と、非照射領域Ｈの照度との差分を演算し、この差分演算結果に基づいて車両前方に霧が発生しているか否かが判断される。
このとき、図５に示すように、照射領域Ｓの照度及び非照射領域Ｈの照度は、いずれもヘッドライト４の点滅動作に拘らず変化しない。そのため、照度の差分もヘッドライト４の点滅動作に拘らず増減することはない。
このように、照度の差分の変動がヘッドライト４の点滅動作に同期しないことから、車両１０の前方に霧が発生していないと判断することができる。
【００４４】
そして、霧が発生していないと判断したことで、ハイビーム照明に設定しても霧による反射光が発生することはないため、運転しにくさを感じるおそれはない。そのため、ステップＳ９へと進み、ヘッドライト４の配光状態を霧発生の判断を行う以前の状態に戻す。つまり、霧判断のためにヘッドライト４をハイビーム照明に設定する以前に、すでにハイビーム照明状態であれば、現在の配光状態を維持する。これに対し、霧判断のためにヘッドライト４をハイビーム照明に設定する以前にロービーム照明状態であれば、ステップＳ８へと進んで現在の配光状態（ハイビーム照明）からロービーム照明状態へと変更する。
【００４５】
このように、実施例１の車両用照明制御装置１では、ヘッドライト４によって照明した際にこのヘッドライト４によって照明される照射領域Ｓの照度と、ヘッドライト４によって照明されない非照射領域Ｈの照度との差分に基づいて、霧の発生の有無を判断する。そして、霧が発生していると判断されたときには、霧検知処理を行う以前のヘッドライト４の配光状態に拘らず、ヘッドライト４は自動的にロービーム照明に設定される。
これにより、霧による反射光の発生を抑制でき、霧による反射光で運転が妨げられることを防止できる。また、自動的にロービーム照明に切り替わるため、配光状態の切り替え設定を手動で行う必要がなくなって、走行中の煩わしさを軽減することができる。
【００４６】
なお、霧検知は、二つの照度センサを用いて検出される照射領域Ｓの照度と、非照射領域Ｈの照度差に基づいて行われる。
これにより、イメージセンサや車載カメラ、湿気センサ等の様々なセンサ類を不要とし、コストの増加を抑制して安価な構成で車両の周囲に霧が発生しているか否かを判断することができる。また、イメージセンサを用いないことで、雨天時の雨滴によって霧のセンシングが不可能になることがない。
【００４７】
さらに、この実施例１では、ヘッドライト４が点灯と消灯を目視不可能な周期で、所定時間繰り返す霧判断照明を実行しているときに、照射領域Ｓ照度と非照射領域Ｈの照度を検出し、その差分に基づいて霧発生を判断している。
そのため、照度の差分を複数回検出することができ、霧判断精度を向上することができる。しかも、この実施例１では、点灯と消灯を繰り返す周期は、ドライバーが目視不可能な周期となっているので、霧発生を判断するためにヘッドライト４による照明の状態を変化させても、目視することができない。これにより、ドライバーに煩わしさを与えることなく霧判断を行うことができる。
【００４８】
しかも、霧検知処理は、一定周期（ここでは３０分）ごとに繰り返し実行される。このため、長時間にわたる走行中に霧が発生した場合であっても、霧の発生を検知することが可能となる。
【００４９】
そして、実施例１では、ヘッドライト４によって照明される照射領域Ｓの照度を、ヘッドライト４による照明方向に沿って車両１０に入射する光の照度とし、これを検出する第１照度センサ２を車両前方に向けて設定した。一方、ヘッドライト４によって照明されない非照射領域Ｈの照度を、ヘッドライト４による照明方向とは異なる方向に沿って車両１０に入射する光の照度とし、これを検出する第２照度センサ３を車両上方に向けて設定した。
これにより、霧検知処理時の照射領域Ｓの照度と、非照射領域Ｈの照度とを精度よく切り分けて検出することができ、霧検知の検知精度を向上させることができる。
【００５０】
なお、図４及び図５では、夜間走行中に照明制御処理を実行したときの各特性を示しているが、照明制御処理は車両１０の周囲が比較的明るい昼間の走行中であっても実行される。
ここで、霧が発生していれば、車両周囲が明るくてもヘッドライト４を点灯した際に反射光が生じる。
【００５１】
すなわち、図６に示すように、霧が発生している状態での昼間の走行中に霧判断照明を実行したとき、車両１０の周囲が明るいため、非照射領域Ｈの照度はある程度の照度となる。しかしながら、霧によってヘッドライト４の光が反射すれば、反射光が発生してないときよりも照射領域Ｓの照度が高くなる。このため、ヘッドライト４を点灯したときには、照射領域Ｓの照度は非照射領域Ｈの照度よりもさらに高くなる。これにより、霧が発生していれば、車両周囲の明るい昼間であってもヘッドライト４の点滅動作に同期する照度差分の増減が生じる。
このため、昼夜問わず、イメージセンサ等の複数のセンサ類を用いることなく、安価な構成で霧の発生を検知し、ヘッドライト４の配光状態を適切に切替制御して、運転しにくさを軽減することができる。
【００５２】
次に、効果を説明する。
実施例１の車両用照明制御装置１にあっては、下記に列挙する効果を得ることができる。
【００５３】
(1) 車両１０の前部（前端部）１０ａに設けられ、ハイビーム照明とロービーム照明を切り替え可能な照明手段（ヘッドライト）４と、
前記照明手段４の配光状態を前記ハイビーム照明又は前記ロービーム照明のいずれか一方に設定する照明制御手段（照明制御部）６と、
前記照明手段４によって照明される照射領域Ｓの照度を検出する第１照度検出手段（第１照度センサ）２と、
前記照明手段４によって照明されない非照射領域Ｈの照度を検出する第２照度検出手段（第２照度センサ）３と、
前記第１照度検出手段２により検出された前記照射領域Ｓの照度と、前記第２照度検出手段３により検出された前記非照射領域Ｈの照度と、の差分に基づいて、前記車両１０の周囲に霧が発生しているか否かを判断する霧検知手段（霧検知制御部）５と、を備え、
前記照明制御手段６は、前記霧検知手段５によって前記車両１０の周囲に霧が発生していると判断されたとき、前記照明手段４をロービーム照明に設定するオートビーム照明部６２ａを有する構成とした。
これにより、霧による反射光で運転が妨げられることを防止できる。また、自動的にロービーム照明に設定されるため、配光状態の切り替え設定を手動で行う必要がなくなって、走行中の煩わしさを軽減することができる。
【００５４】
(2) 前記照射領域Ｓの照度を、前記照明手段（ヘッドライト）４による照明方向に沿って前記車両１０に入射する光の照度とし、
前記非照射領域Ｈの照度を、前記照明手段４による照明方向とは異なる方向に沿って前記車両１０に入射する光の照度とする構成とした。
これにより、上記(1)の効果に加え、霧検知処理時のヘッドライト４の反射光の照度と、車両周囲の照度とを切り分けて検出することができ、霧検知の検知精度を向上させることができる。
【００５５】
(3) 前記照明制御手段（照明制御部）６は、所定の周期（目視不可能な周期）で、所定時間、前記照明手段（ヘッドライト）４の点灯と消灯を繰り返す霧判断照明を実行する点消灯制御部６１を有し、
前記霧検知手段（霧検知制御部）５は、前記霧判断照明が実行されているときに検出された照度の差分に基づいて、前記車両１０の周囲に霧が発生しているか否かを判断する構成とした。
これにより、上記(1)又は(2)の効果に加え、霧発生を判断するために照度領域Ｓの照度と非照度領域Ｈの照度との照度差分を複数回検出することができ、霧判断精度を向上することができる。
【００５６】
(4) 前記点消灯制御部６１は、前記車両１０が走行している間、予め定めた一定周期で前記霧判断照明を実行する構成とした。
これにより、上記(3)の効果に加え、長時間にわたる運転中に霧が発生した場合であっても、霧の発生を検知することができる。
【００５７】
（実施例２）
実施例２の車両用照明制御装置は、霧の発生を検知したときにオートハイビーム機能を停止する例である。
【００５８】
まず、構成を説明する。
図７は、実施例２の車両用照明制御装置を示す全体システム図である。この図７に基づき、実施例２の車両用照明制御装置１Ａの全体システム構成を説明する。なお、実施例１と同等の構成については、実施例１と同一の符号を付し、詳細な説明を省略する。
【００５９】
実施例２の車両用照明制御装置１Ａは、図７に示すように、第１照度センサ２と、第２照度センサ３と、ヘッドライト４と、霧検知制御部５と、照明制御部７と、を備えている。
【００６０】
前記照明制御部７は、ヘッドライト４の点灯、消灯及び配光制御をそれぞれ行う照明制御手段に相当し、点消灯制御部７１と、配光制御部７２と、を有している。
【００６１】
前記点消灯制御部７１は、ヘッドライト４に対し、点灯指令又は消灯指令のいずれか、あるいは霧判断照明指令を出力することで、ヘッドライト４の点消灯制御を行う。
【００６２】
前記配光制御部７２は、ヘッドライト４に対し、ハイビーム設定指令又はロービーム設定指令のいずれかを出力することで、ヘッドライト４の配光制御を行う。また、この配光制御部７２は、オートハイビーム制御部７２ａと、オートビーム制御部７２ｂと、を有している。
【００６３】
前記オートハイビーム制御部７２ａは、予め設定したハイビーム条件が成立すればハイビーム設定指令を出力し、ヘッドライト４の配光状態を自動的にハイビーム照明に設定する。
なお、このオートハイビーム制御部７２ａは、手動で操作する図示しない設定スイッチを有しており、この設定スイッチがＯＮ制御されたときに機能する。また、「ハイビーム条件」とは、例えば、夜間走行中であって、車両前方の照度が一定以下、対向車や街路灯が存在しない等、ハイビーム照明に切替可能な諸条件である。
【００６４】
前記オートビーム制御部７２ｂは、霧検知制御部５によって車両１０の周囲に霧が発生していると判断されたときに、オートハイビーム停止指令をオートハイビーム制御部７２ａに出力すると共に、ロービーム設定指令を出力し、ヘッドライト４の配光状態を自動的にロービーム照明に設定する。ここで「オートハイビーム停止指令」とは、オートハイビーム制御部７２ａの設定スイッチがＯＮ制御されているときに、このオートハイビーム制御部７２ａによるハイビーム照明の設定を停止させる。
【００６５】
図８は、実施例２の車両用照明制御装置において実行される霧検知処理の流れを示すフローチャートである。以下、図８に基づき、霧検知処理の各ステップについて説明する。なお、この霧検知処理は、イグニッションキーがONされてからOFFされるまでの間、継続して実行される。
【００６６】
図８に示す実施例２の霧検知処理におけるステップＳ11〜ステップＳ17までの各ステップは、実施例１の霧検知処理におけるステップＳ１〜ステップＳ７と同等である。そのため、ここでは詳細な説明を省略する。
ただし、ステップＳ17において、YES（車両の前方に霧が発生した）と判断した場合には、ステップＳ18へ進む。また、このステップＳ17においてNO（車両の前方に霧が発生していない）と判断した場合には、ステップＳ21へ進む。
【００６７】
ステップＳ18では、ステップＳ17での霧発生との判断に続き、オートハイビーム制御部７２ａがＯＮ設定されているか否かを判断する。つまり、ハイビーム条件が成立していれば、ヘッドライト４が自動的にハイビーム照明に設定されるか否かを判断する。YES（オートハイビーム設定）の場合には、ステップＳ19に進む。NO（オートハイビーム未設定）の場合にはステップＳ20へ進む。
ここで、オートハイビーム制御部７２ａのＯＮ設定は、図示しない設定スイッチを手動により操作することで行われる。
【００６８】
ステップＳ19では、ステップＳ18でのオートハイビーム制御部７２ａの設定との判断に続き、このオートハイビーム制御部７２ａによるハイビーム照明の設定を停止させるオートハイビーム停止指令を出力し、ステップＳ20へ進む。
【００６９】
ステップＳ20では、ステップＳ18でのオートハイビーム制御部７２ａの未設定との判断、又は、ステップＳ19でのオートハイビーム制御部７２ａへの停止指令の出力のいずれかに続き、霧が発生しているときにハイビーム照明を設定していると、ヘッドライト４を点灯したときに霧による反射光で運転しにくさを感じることから、ロービーム設定指令を出力して、ヘッドライト４の配光状態を自動的にロービーム照明に設定し、リターンへ進む。
【００７０】
ステップＳ21では、ステップＳ17での霧未発生との判断に続き、オートハイビーム制御部７２ａが停止しているか否かを判断する。YES（オートハイビーム停止中）の場合には、ステップＳ22へ進む。NO（オートハイビーム未停止中）の場合にはステップＳ23へ進む。
ここで、オートハイビーム制御部７２ａが停止しているとの判断は、オートビーム制御部７２ｂからオートハイビーム停止指令が出力されていることで行われる。つまり、オートハイビーム停止指令が出力されていなければ、オートハイビーム制御部７２ａは停止状態ではないと判断される。
【００７１】
ステップＳ22では、ステップＳ21でのオートハイビーム停止中との判断に続き、オートハイビーム制御部７２ａの停止状態を解除し、リターンへ進む。
これにより、ハイビーム条件が成立すれば、ヘッドライト４はハイビーム設定を継続し、ハイビーム条件が成立しなければ、ヘッドライト４はロービーム照明に自動的に切り替え設定される。
【００７２】
ステップＳ23では、ステップＳ21でのオートハイビーム未停止中との判断に続き、ステップＳ12において出力したハイビーム設定指令の出力以前に、すでにヘッドライト４がハイビーム照明状態であったか否かを判断する。YES（ハイビーム状態）の場合には、ヘッドライト４の配光状態を変更する必要がないため、リターンへ進む。NO（ロービーム状態）の場合には、霧判断のためにハイビーム照明に設定したヘッドライト４の配光状態を戻す必要があるためステップＳ20へ進む。
【００７３】
ここで、ハイビーム条件の成立に伴ってヘッドライト４を自動的にハイビーム照明に設定するオートハイビーム制御部７２ａが有効になっていると、霧が発生してもヘッドライト４が自動的にハイビーム照明に設定されることがある。そのときには、霧による反射で走行しにくさを感じ、手動によってロービーム照明に切替設定する必要がある。
【００７４】
これに対し、実施例２の車両用照明制御装置１Ａにおいては、ハイビーム条件の成立に伴ってヘッドライト４をハイビーム照明に自動的に設定するオートハイビーム制御部７２ａを有すると共に、オートビーム制御部は、霧検知制御部５によって車両１０の周囲に霧が発生していると判断されたときに、オートハイビーム制御部７２ａを停止させるオートハイビーム停止指令を出力する。これにより、霧が発生していないときには、ハイビーム条件の成立に伴ってヘッドライト４を自動的にハイビーム照明に設定することができる上、霧が発生しているときには、ハイビーム条件が成立してもヘッドライト４はハイビーム照明に設定されない。
【００７５】
そのため、オートハイビーム制御部７２ａが設定されていても、霧の発生が検知されれば、このオートハイビーム制御部７２ａを停止させることで、手動によってロービーム照明に切替設定する必要がなくなり、走行中の煩わしさを軽減することができる。
【００７６】
すなわち、この実施例２の車両用照明制御装置１Ａにあっては、下記に挙げる効果を得ることができる。
【００７７】
(5) 前記照明制御手段（照明制御部）６は、予め設定したハイビーム条件が成立した際に、前記照明手段（ヘッドライト）４を前記ハイビーム照明に設定するオートハイビーム制御部７２ａを有し、
前記オートビーム制御部７２ｂは、前記霧検知手段（霧検知制御部）５によって前記車両１０の周囲に霧が発生していると判断されたとき、前記オートハイビーム制御部７２ａによる前記ハイビーム照明の設定を停止すると共に、前記照明手段４を前記ロービーム照明に設定する構成とした。
これにより、上記(1)〜(4)のいずれかの効果に加え、霧の発生が検知されれば、自動的にハイビーム照明に設定するオートハイビーム制御部７２ａが停止され、手動によってロービーム照明に切替設定する必要がなくなり、走行中の煩わしさを軽減することができる。
【００７８】
以上、本発明の車両用照明制御装置を実施例１又は実施例２に基づき説明してきたが、具体的な構成については、これらの実施例に限られるものではなく、特許請求の範囲の各請求項に係る発明の要旨を逸脱しない限り、設計の変更や追加等は許容される。
【００７９】
実施例２では、配光制御部７２が予め設定したハイビーム条件が成立したら、ヘッドライト４をハイビーム照明に設定するオートハイビーム制御部７２ａを有する例を示したが、これに限らない。例えば、ステアリングの操舵方向に光軸を向け、進行方向に光を照射することで視認性向上を図った配光可変オートハイビーム制御を可能とするものであってもよい。
この場合であっても、霧を検知したときには自動的にハイビーム照明になることを停止（禁止）することで、走行中の煩わしさを軽減することができる。
【００８０】
また、実施例１では、霧判断時、人間の目に見えない周期でヘッドライト４を点滅させる霧判断照明を実行する例を示したが、これに限らない。ヘッドライト４の点滅周期は任意の周期に設定することができる。
【符号の説明】
【００８１】
１  車両用照明制御装置
１０  車両
１１  フロントガラス
１２  フロントフード
２  第１照度センサ（第１照度検出手段）
３  第２照度センサ（第２照度検出手段）
４  ヘッドライト（照明手段）
５  霧検知制御部（霧検知手段）
５１  照度比較部
５２  霧判断部
６  照明制御部（照明制御手段）
６１  点消灯制御部
６２  配光制御部
６２ａ  オートビーム制御部
【図１】
2015039902.tif 000003
【図２】
2015039902.tif 000004
【図３】
2015039902.tif 000005
【図４】
2015039902.tif 000006
【図５】
2015039902.tif 000007
【図６】
2015039902.tif 000008
【図７】
2015039902.tif 000009
【図８】
2015039902.tif 000010